(57)【要約】【課題】  本発明は、通行許可者以外の者の連れ込み入退室を制限する安価な入退室管理装置を提供することにある。【解決手段】  ＩＣカードを使用した入退室管理装置であって、カードリーダ２又はカードリーダのアンテナ部３を備える扉１と、扉１を開閉する開閉機構であるドアクローザ７と、扉１の開閉動作方向を限定するロック機構であるラッチボルト５及びストライクプレート６と、を具備しており、カードリーダ２又はカードリーダのアンテナ部３が正規のＩＣカード１１を捕捉している間は、扉１が開く方向及び閉じる方向へ移動可能なように扉１のロック機構を解除し、カードリーダ２又はカードリーダのアンテナ部３が正規のＩＣカード１１を捕捉していない場合には、扉１のロック機構をロックして、扉１が閉じる方向へのみ移動可能なように限定する。【選択図】  図１
2007327194.tif 000002
【特許請求の範囲】
【請求項１】
ＩＣカードを使用した入退室管理装置において、
カードリーダ又は前記カードリーダのアンテナ部を備える扉と、
前記扉を開閉する開閉機構と、
前記扉の開閉動作方向を限定するロック機構と、
を具備しており、
前記カードリーダ又は前記カードリーダのアンテナ部が正規のＩＣカードを捕捉している間は、前記扉が開く方向及び閉じる方向へ移動可能なように前記ロック機構を解除し、
前記カードリーダ又は前記カードリーダのアンテナ部が前記正規のＩＣカードを捕捉していない場合には、前記ロック機構をロックして、前記扉が閉じる方向へのみ移動可能なように限定することを特徴とする入退室管理装置。
【請求項２】
前記ロック機構は、
前記扉の下部に、付勢手段を有するとともに傾斜面が前記扉を閉める方向側の側面に形成されるボルトロックと、
前記ボルトロックと係合する床面の位置に形成されるストライクプレートと、
から構成することを特徴とする請求項１に記載の入退室管理装置。
【請求項３】
前記扉は両開きの押し戸であり、
前記押し戸の下部に、付勢手段を有するとともに傾斜面が前記扉を閉める方向側の側面に形成される第１及び第２のボルトロックと、
前記押し戸の一方の側に、前記第１のボルトロックと係合する床面の位置に形成される第１のストライクプレートと、
前記押し戸の他方の側に、前記第２のボルトロックと係合する床面の位置に形成される第２のストライクプレートと、
から構成することを特徴とする請求項１に記載の入退室管理装置。
【請求項４】
ＩＣカードを使用した入退室管理装置において、
カードリーダ又は前記カードリーダのアンテナ部を備える扉と、
前記扉を開閉する開閉機構と、
前記開閉機構の開閉動作を制御する制御装置と、
を具備しており、
前記カードリーダ又は前記カードリーダのアンテナ部が正規のＩＣカードを捕捉している間は前記開閉機構によって前記扉が開く方向及び閉じる方向へ移動するように制御され、前記正規のＩＣカードを捕捉していない場合には前記開閉機構によって前記扉が閉じる方向へのみ移動するように制御されていることを特徴とする入退室管理装置。
【請求項５】
前記扉の複数の位置に前記カードリーダのアンテナ部を設置することにより、ＩＣカードを翳す箇所を複数提供するように構成されていることを特徴とする請求項１から４のいずれか一項に記載の入退室管理装置。
【発明の詳細な説明】
【技術分野】
【０００１】
本発明は、ＩＣカードを使用した入退室管理装置に関し、特に入退室管理における扉制御に関するものである。
【背景技術】
【０００２】
企業等の建物でセキュリティ性を高めるために、社員証等をＩＣカードとして用いて、建物の外から中への人の出入を管理する入退室管理装置が利用されている。
【０００３】
特許文献１及び特許文献２には、ドアの近傍に設置されたカードリーダによって本人情報がＩＤカードから読み取られたとき、データベースで検索される顔情報と正面カメラで撮影される顔情報とを照合し、さらに撮影された人影数を認定して、電磁錠を制御するシステムが開示されている。
【特許文献１】特開２００４−１２４４９７号公報
【特許文献２】特開２００４−２１１５３８号公報
【発明の開示】
【発明が解決しようとする課題】
【０００４】
ＩＣカードを使用した従来の入退室管理装置では、通行許可者により開錠された扉が一定時間開錠された状態となっているため、再び施錠されるまでに後続者が再度開いて通過することができる。多数の人間が出入りする場所においては、侵入者が通行許可者になりすまし、通過するおそれがある。
【０００５】
また、上記の特許文献１及び特許文献２に記載された入退室管理装置では、ＩＣカードリーダに加え監視カメラを設置している。カメラで人影の数を認定し、人影が２つ以上である場合は開錠を行わないようになっており、出入りが頻繁に行われ多くの人間が出入りする扉の場合では、スムーズに出入りが行えない。
【０００６】
これらの防止策として、駅の改札のようなゲートを設置することや、２重扉を設置することが考えられるが、これらには、コストアップや往来の時間がかかるといった課題がある。
【０００７】
本発明はこのような実情に鑑みてなされたものであって、その目的は、通行許可者以外の者の連れ込み入退室を制限する安価な入退室管理装置を提供することである。
【課題を解決するための手段】
【０００８】
上記従来技術の有する課題を解決するために、本発明においては、ＩＣカードを使用した入退室管理装置において、カードリーダ又は前記カードリーダのアンテナ部を備える扉と、前記扉を開閉する開閉機構と、前記扉の開閉動作方向を限定するロック機構と、を具備しており、前記カードリーダ又は前記カードリーダのアンテナ部が正規のＩＣカードを捕捉している間は、前記扉が開く方向及び閉じる方向へ移動可能なように前記ロック機構を解除し、前記カードリーダ又は前記カードリーダのアンテナ部が前記正規のＩＣカードを捕捉していない場合には、前記ロック機構をロックして、前記扉が閉じる方向へのみ移動可能なように限定するようになっている。
【０００９】
また、本発明においては、前記ロック機構は、前記扉の下部に、付勢手段を有するとともに傾斜面が前記扉を閉める方向側の側面に形成されるボルトロックと、前記ボルトロックと係合する床面の位置に形成されるストライクプレートと、から構成されている。
【００１０】
また、本発明においては、前記扉は両開きの押し戸であり、前記押し戸の下部に、付勢手段を有するとともに傾斜面が前記扉を閉める方向側の側面に形成される第１及び第２のボルトロックと、前記押し戸の一方の側に、前記第１のボルトロックと係合する床面の位置に形成される第１のストライクプレートと、前記押し戸の他方の側に、前記第２のボルトロックと係合する床面の位置に形成される第２のストライクプレートと、から構成されている。
【００１１】
また、本発明においては、ＩＣカードを使用した入退室管理装置において、カードリーダ又は前記カードリーダのアンテナ部を備える扉と、前記扉を開閉する開閉機構と、前記開閉機構の開閉動作を制御する制御装置と、を具備しており、前記カードリーダ又は前記カードリーダのアンテナ部が正規のＩＣカードを捕捉している間は前記開閉機構によって前記扉が開く方向及び閉じる方向へ移動するように制御され、前記正規のＩＣカードを捕捉していない場合には前記開閉機構によって前記扉が閉じる方向へのみ移動するように制御されている。
【００１２】
さらに、本発明において、前記扉の複数の位置に前記カードリーダのアンテナ部を設置することにより、ＩＣカードを翳す箇所を複数提供するように構成されている。
【発明の効果】
【００１３】
上述の如く、本発明に係る請求項１の入退室管理装置は、前記カードリーダ又は前記カードリーダのアンテナ部が正規のＩＣカードを捕捉している間は、前記扉が開く方向及び閉じる方向へ移動可能なように前記ロック機構を解除し、前記カードリーダ又は前記カードリーダのアンテナ部が前記正規のＩＣカードを捕捉していない場合には、前記ロック機構をロックして、前記扉が閉じる方向へのみ移動可能なように限定するようになっているため、通行許可者が通過した後に後続者が前記扉を開くことができない。さらに、開閉機構によって通行許可者が通過した後の扉の幅を狭めることができ、後続者を遮断することができる。
【００１４】
本発明に係る請求項２の入退室管理装置は、前記ロック機構が、前記扉の下部に付勢手段を有するとともに傾斜面が前記扉を閉める方向側の側面に形成されるボルトロックと、前記ボルトロックと係合する床面の位置に形成されるストライクプレートと、から構成されているため、後続者を遮断する駅の改札のようなゲート、２重扉を設置する必要がなく、安価なコストでセキュリティ性の高い入退室管理装置を提供することができる。
【００１５】
本発明に係る請求項３の入退室管理装置は、前記扉が両開きの押し戸であり、前記押し戸の下部に、付勢手段を有するとともに傾斜面が前記扉を閉める方向側の側面に形成される第１及び第２のボルトロックと、前記押し戸の一方の側に、前記第１のボルトロックと係合する床面の位置に形成される第１のストライクプレートと、前記押し戸の他方の側に、前記第２のボルトロックと係合する床面の位置に形成される第２のストライクプレートと、から構成されている。荷物を運搬する場合や大勢の人が往来する場合では、ドアノブを回動する動作が面倒となったり、ドアノブが通行の妨げになるが、両開きの押し戸とすることでドアノブが不要となり、通行者がスムーズに出入りを行うことができる。
【００１６】
本発明に係る請求項４の入退室管理装置は、前記カードリーダ又は前記カードリーダのアンテナ部が正規のＩＣカードを捕捉している間は前記開閉機構によって前記扉が開く方向及び閉じる方向へ移動するように制御され、前記正規のＩＣカードを捕捉していない場合には前記開閉機構によって前記扉が閉じる方向へのみ移動するように制御されているため、請求項１と同様の効果を得られる。さらに、前記開閉機構を制御することにより、通行許可者が通過した後の扉の幅を一定幅まで高速に狭めることができ、不正後続者をより効果的に遮断することができる。
【００１７】
本発明に係る請求項５の入退室管理装置は、前記扉の複数の位置に前記カードリーダのアンテナ部を設置しているため、ＩＣカードを捕捉することができる領域が広がる。これにより、荷物の運搬時や通行許可者が通過した後に後続者が続く場合に、ＩＣカードを翳す位置を気にすることなく、スムーズに出入りを行うことができる。
【発明を実施するための最良の形態】
【００１８】
以下、本発明を図示の実施形態に基づいて詳細に説明する。
【００１９】
[第１の実施形態]
本発明の第１の実施形態を、図１を参照して説明する。図１はこの発明に係る入退室管理装置を示すものである。本装置においては、個人情報が記録されている記録媒体であるＩＣカード１１を使用している。また、本装置においては、扉１、ＩＣカード１１に記録された情報と認証を行う装置であるカードリーダ２、ＩＣカード１１と記録された情報の送受信を行うカードリーダのアンテナ部３、ドアノブ４、扉１のロック機構であるラッチボルト５及びストライクプレート６、扉１のドアクローザ（開閉機構）７が具備されている。カードリーダ２から引き伸ばしたカードリーダのアンテナ部３は、ドアノブ４の近傍に設置されている。ラッチボルト５は、ストライクプレート６の孔に係合するように構成されており、傾斜面が扉１を閉める方向側の側面に形成されている。また、ラッチボルト５は、付勢手段を備えており、扉１の下部に出没自在に設けられている。ストライクプレート６は、床面に設置されており、扉１の軌跡に合わせて、所定の間隔で複数設置されている。
【００２０】
本発明の第１の実施形態に係る入退室管理装置において、図１（ａ）に示す状態のドアノブ４の近辺にＩＣカード１１を翳すと、カードリーダ２は、カードリーダのアンテナ部３を通じてＩＣカード１１とデータの交換を行う。カードリーダ２がＩＣカード１１を正規のＩＣカードであると認識すると、ドアノブ４を回動することによってラッチボルト５を扉１の内部へ引き込むことができる。これにより、図１（ｂ）に示すように、扉１を開く方向へ移動させることが可能となる。
【００２１】
ＩＣカード１１がカードリーダのアンテナ部３に翳されており、カードリーダ２によって正規のＩＣカードであると認識されている状態、つまり、ＩＣカード１１が捕捉されている状態では、扉１を開く方向及び閉じる方向へ移動させることができる。ただし、扉１を開く方向に移動させる場合、扉１は床面に設置されている最外側のストライクプレート６の位置までしか移動できない。
【００２２】
図１（ｂ）に示すように、通行者はカードリーダのアンテナ部３の近辺にＩＣカード１１を翳したままドアノブ４を回動し、扉１を開く。この際、カードリーダ２はカードリーダのアンテナ部３を通じて、ＩＣカード１１を捕捉し続ける。
【００２３】
通行者が開いた扉１を通過し、カードリーダのアンテナ部３に翳しているＩＣカード１１を離すと、カードリーダ２はカードリーダのアンテナ部３を通じてＩＣカード１１を捕捉しなくなるため、ドアノブ４を回動してもラッチボルト５を扉１の内部へ引き込まれないように制御する。ラッチボルト５は、扉１がストライクプレート６の位置まで移動すると、付勢力によってストライクプレート６の孔に係合する。例えば、ラッチボルト５が最外側のストライクプレート６に係合した場合、ドアノブ４を回動することによってラッチボルト５を扉１の内部に引き入れることができない。そのため、扉１をそれ以上開く方向に移動させることができない。扉１を閉まる方向に移動させる場合は、ラッチボルト５は、付勢力に抗して、扉１を閉める方向側の傾斜面がストライクプレート６の縁部に摺接しながら扉１の内部へ引き込まれる。そのため、扉１を閉まる方向に移動させることができる。つまり、ＩＣカード１１を捕捉していない状態では、扉１を閉まる方向にしか移動できない（扉１の開閉動作を、閉まる方向のみに限定できる）。なお、ラッチボルト５が他の位置のストライクプレート６に係合した場合にも同様の動作となる。また、通行者が通過した後は、扉１はドアクローザ７によって徐々に閉められる。
【００２４】
[第２の実施形態]
本発明の第２の実施形態を、図２を参照して説明する。図２はこの発明に係る入退室管理装置を示すものである。本装置においては、扉１、ＩＣカード１１に記録された情報と認証を行う装置であるカードリーダ２、ＩＣカード１１と記録された情報の送受信を行うカードリーダのアンテナ部３、ドアノブ４、ラッチボルト５、ストライクプレート６、扉１の開閉動作を制御する装置を含むドアクローザ（開閉機構）７が具備されている。カードリーダ２から引き伸ばしたカードリーダのアンテナ部３は、ドアノブ４の近傍に設置されている。
【００２５】
本発明の第２の実施形態に係る入退室管理装置において、図２（ａ）に示す状態のドアノブ４の近辺にＩＣカード１１を翳すと、カードリーダ２は、カードリーダのアンテナ部３を通じてＩＣカード１１とデータの交換を行う。カードリーダ２は、ＩＣカード１１が正規のＩＣカードであると認識すると、ストライクプレート６からラッチボルト５を扉１の内部に引き入れ、図２（ｂ）に示すように、ドアクローザ７によって扉１を開く方向へ移動させることが可能となる。
【００２６】
第１の実施形態と同様に、ＩＣカード１１が捕捉されている状態では、扉１を開く方向及び閉じる方向へ移動させることができる。
【００２７】
図２（ｂ）に示すように、通行者はカードリーダのアンテナ部３の近辺にＩＣカード１１を翳したままドアノブ４を回動し、扉１を開く。この際、カードリーダ２はカードリーダのアンテナ部３を通じて、ＩＣカード１１を捕捉し続ける。
【００２８】
通行者が開いた扉１を通過し、カードリーダのアンテナ部３に翳しているＩＣカード１１を離すと、カードリーダ２はカードリーダのアンテナ部３を通じてＩＣカード１１を捕捉できなくなるため、ドアクローザ７にロックをかけるように制御し、扉１を閉まる方向にしか移動できないようにする。さらに、通行者が通過した後は、扉１はドアクローザ７によって徐々に閉められる。
【００２９】
図３は、通行者がカードホルダ１２を使用した際の斜視図を示している。通常、扉１を開ける際は、片手でＩＣカード１１をカードリーダのアンテナ部３に翳しながらもう片方の手で扉１を開くような動作となり、両手を使用することになる。図３のように、例えば、手首にカードホルダ１２を取り付けることにより、手を近づけた際にドアノブ４の近傍に設置されているカードリーダのアンテナ部３がＩＣカード１１を捕捉するため、片手で扉１を開くことが可能となる。
【００３０】
[第３の実施形態]
本発明の第３の実施形態を、図４を参照して説明する。図４は、扉１の複数の位置にカードリーダのアンテナ部３を設置した斜視図を示している。カードリーダのアンテナ部３は、例えば、荷物の運搬時に扉１を開いておくときに手を添える位置、後続者が閉まる扉１を再度開こうとするときに手を添える複数の位置に設置されている。これにより、ＩＣカード１１を翳し、捕捉できる領域を広げることが可能となる。
【００３１】
本発明の第３の実施形態に係る入退室管理装置において、扉１の複数の位置に設置されたカードリーダのアンテナ部３は並行又は巡回してＩＣカード１１を捕捉するように構成されている。
【００３２】
[第４の実施形態]
本発明の第４の実施形態を、図５を参照して説明する。図５は、扉１を両開きの押し戸とした形態の断面図を示している。扉１はドアノブが設置されておらず、扉１の両側から押す方向に開くようになっている。カードリーダのアンテナ部３は扉１の両面にそれぞれ設置されており、例えば、押して開ける際に手を添える位置に設置されている。また、本装置においては、扉１のロック機構であるラッチボルト５ａ，５ｂ及びストライクプレート６ａ，６ｂが具備されている。
ラッチボルト５ａは、付勢手段を備えており、扉１の下部に出没自在に設けられている。また、ラッチボルト５ａは、室内Ｒ側のストライクプレート６ａの孔に係合するように構成されており、室内Ｒ側から扉１を閉める方向側の側面に傾斜面が形成されている。ストライクプレート６ａは、室内Ｒ側の床面に設置されており、扉１が室内Ｒ側に押された際のラッチボルト５ａの軌跡に合わせて所定の間隔で複数設置されている。
ラッチボルト５ｂは、扉１の下部においてラッチボルト５ａに隣接して設けられている。ラッチボルト５ｂは、ラッチボルト５ａと同様に、付勢手段を備えており、扉１の下部に出没自在に設けられている。また、ラッチボルト５ｂは、室外Ｏ側のストライクプレート６ｂの孔に係合するように構成されており、室外Ｏ側から扉１を閉める方向側の側面に傾斜面が形成されている。ストライクプレート６ｂは、室外Ｏ側の床面に設置されており、扉１が室外Ｏ側に押された際のラッチボルト５ｂの軌跡に合わせて所定の間隔で複数設置されている。
また、ドアクローザ７は、扉１の両面にそれぞれ設置されている。
【００３３】
本発明の第４の実施形態に係る入退室管理装置において、利用者が正規のＩＣカード１１を、扉１を押して開ける際に手を添える位置付近に翳すと、ラッチボルト５ａ及びラッチボルト５ｂを扉１の内部へ引き込む。ＩＣカード１１を捕捉している状態では、ラッチボルト５ａ及びラッチボルト５ｂが扉１の内部に引き込まれたままになっているため、扉１を押す方向に移動させることができる。
【００３４】
次に、本発明の第４の実施形態に係る入退室管理装置において、利用者が室内Ｒ側へ扉１を押して通過する場合について説明する。
利用者が開いた扉１を通過し、カードリーダのアンテナ部３に翳しているＩＣカード１１を離すと、カードリーダのアンテナ部３を通じてＩＣカード１１を捕捉できなくなるため、扉１の内部に引き込まれているラッチボルト５ａ及びラッチボルト５ｂが付勢力によって突出されはじめる。ラッチボルト５ａは、扉１がストライクプレート６ａの位置まで移動すると、付勢力によってストライクプレート６ａの孔に係合する。ラッチボルト５ｂは、付勢力に抗して、床面によって扉１の内部に引き込まれたままになっている。例えば、ラッチボルト５ａが最内側のストライクプレート６ａに係合した場合、扉１を押すことによってそれ以上開く方向に移動させることができない。扉１を閉まる方向に移動させる場合は、ラッチボルト５ａは、付勢力に抗して、扉１を閉める方向側の傾斜面がストライクプレート６ａの縁部に摺接しながら扉１の内部に引き込まれる。そのため、扉１を閉まる方向に移動させることができる。つまり、ＩＣカード１１を捕捉していない状態では、扉１を閉まる方向にしか移動できない。なお、ラッチボルト５ａが室内Ｒ側の他の位置のストライクプレート６ａに係合した場合にも同様の動作となる。また、通行者が通過した後は、扉１はドアクローザ７によって徐々に閉められる。
【００３５】
次に、本発明の第４の実施形態に係る入退室管理装置において、利用者が室外Ｏ側へ扉１を押して通過する場合について説明する。
利用者が開いた扉１を通過し、カードリーダのアンテナ部３に翳しているＩＣカード１１を離すと、カードリーダのアンテナ部３を通じてＩＣカード１１を捕捉できなくなるため、扉１の内部に引き込まれているラッチボルト５ａ及びラッチボルト５ｂが付勢力によって突出されはじめる。ラッチボルト５ｂは、扉１がストライクプレート６ｂの位置まで移動すると、付勢力によってストライクプレート６ｂの孔に係合する。ラッチボルト５ａは、付勢力に抗して、床面によって扉１の内部に引き込まれたままになっている。例えば、ラッチボルト５ｂが最内側のストライクプレート６ｂに係合した場合、扉１を押すことによってそれ以上開く方向に移動させることができない。扉１を閉まる方向に移動させる場合は、ラッチボルト５ｂは、付勢力に抗して、扉１を閉める方向側の傾斜面がストライクプレート６ｂの縁部に摺接しながら扉１の内部に引き込まれる。そのため、扉１を閉まる方向に移動させることができる。つまり、ＩＣカード１１を捕捉していない状態では、扉１を閉まる方向にしか移動できない。なお、ラッチボルト５ｂが室外Ｏ側の他の位置のストライクプレート６ｂに係合した場合にも同様の動作となる。また、通行者が通過した後は、扉１はドアクローザ７によって徐々に閉められる。
【００３６】
[第５の実施形態]
本発明の第５の実施形態を、図６を参照して説明する。第４の実施形態と同様に、扉１を両開きの押し戸とした形態であり、カードリーダのアンテナ部３は扉１の両面にそれぞれ設置されており、例えば、押して開ける際に手を添える位置に設置されている。また、扉１の開閉動作を制御する装置を含むドアクローザ７が、扉１の両面にそれぞれ設置されている。
【００３７】
本発明の第５の実施形態に係る入退室管理装置において、利用者は、ＩＣカード１１を、扉１を押して開ける際に手を添える位置付近に翳すことで、扉１を押す方向に移動させることができる。ドアクローザ７は、ＩＣカード１１がカードリーダのアンテナ部３から離された際には、ドアクローザ７を制御してロックをかけ、閉じる方向へのみ移動するように制御している。
【００３８】
以上、本発明の実施の形態につき述べたが、本発明は既述の実施形態に限定されるものでなく、本発明の技術的思想に基づいて各種の変形及び変更が可能である。
【００３９】
本発明の実施形態では、床面にストライクプレートを複数設置した構成を図示した。ストライクプレートの設置数と設置位置は、この図示した構成に限定されるものでなく、種々の変更が可能である。
【００４０】
本発明の実施形態では、扉１のロック機構としてラッチボルト５及びストライクプレート６を使用した構成を示した。変形例として、扉１の回転に連動するギアと、一定方向にしか回らないギアを、カードリーダ２と連動して着脱することで、施錠及び開錠を制御することもできる。
【００４１】
本発明の実施形態では、ラッチボルト５とストライクプレート６を扉１の下部に設置した構成を示した。変形例として、ラッチボルト５とストライクプレート６を扉１の天井部に設置してもよい。
【００４２】
本発明の実施形態では、正規のＩＣカード１１を捕捉していない場合には開閉機構のドアクローザ７によって扉１が閉じる方向へのみ移動するように制御されている。他の変形例として、正規のＩＣカード１１を捕捉していない場合に、ドアクローザ７によって扉１を一定幅まで高速に閉める制御を行ってもよい。これにより、不正後続者をより効果的に遮断することができる。
【００４３】
さらに、ＩＣカード１１を捕捉していない場合において、不正後続者がさらに扉１を開こうとする動作に対して警告音を発することで、不正な出入りを警告することができる。
【００４４】
本発明の実施形態では、扉１の複数の位置にカードリーダのアンテナ部３を設置する構成を示した。他の変形例として、扉１の複数の位置にカードリーダ２を設置することにより、ＩＣカード１１を翳す箇所を複数提供することが可能である。
【図面の簡単な説明】
【００４５】
【図１】本発明の第１の実施形態に係る入退室管理装置の動作手順を示している斜視図であり、（ａ）は扉が閉じている状態を示しており、（ｂ）はＩＣカードを使用して扉が開いた状態を示している。
【図２】本発明の第２の実施形態に係る入退室管理装置の動作手順を示している斜視図であり、（ａ）は扉が閉じている状態を示しており、（ｂ）はＩＣカードを使用して扉が開いた状態を示している。
【図３】通行者がカードホルダを使用した場合の斜視図である。
【図４】本発明の第３の実施形態に係る入退室管理装置を示しており、扉の複数の位置にカードリーダのアンテナ部を設置した形態を示している斜視図である。
【図５】本発明の第４の実施形態に係る入退室管理装置を示している断面図である。
【図６】本発明の第５の実施形態に係る入退室管理装置を示している断面図である。
【符号の説明】
【００４６】
１  扉
２  カードリーダ
３  カードリーダのアンテナ部
４  ドアノブ
５ａ，５ｂ  ラッチボルト
６ａ，６ｂ  ストライクプレート
７  ドアクローザ（開閉機構）
１１  ＩＣカード
１２  カードホルダ
Ｏ  室外
Ｒ  室内
【図１】
2007327194.tif 000003
【図２】
2007327194.tif 000004
【図３】
2007327194.tif 000005
【図４】
2007327194.tif 000006
【図５】
2007327194.tif 000007
【図６】
2007327194.tif 000008